(57)【要約】【課題】人の在室を効率良く検出して自動運転し、待機状態の消費電力が少なく、またセンサの劣化を抑制できる換気装置を提供することを目的とする。【解決手段】出入りのための扉１１を備えた部屋において、扉１１の開閉を検出する扉開閉検出手段１２と、部屋内の人の存在を検出する人検出手段６とを備え、扉開閉検出手段１２により扉１１が開けられたと判断されたとき人検出手段６を動作させることにより、人の在室を効率良く検出して自動運転し、待機状態の消費電力が少なく、またセンサの劣化を抑制することができる。【選択図】図１
2007107778.tif 000002
【特許請求の範囲】
【請求項１】
出入りのための扉を備えた部屋において、扉の開閉を検出する扉開閉検出手段と、部屋内の人の存在を検出する人検出手段と、前記人検出手段の検出結果により部屋の汚れた空気を排気するファンと、前記扉開閉検出手段、前記人検出手段および前記ファンを制御する制御手段とを備え、前記扉開閉検出手段により扉が開けられたと判断されたとき、前記制御手段が前記人検出手段を動作させることを特徴とする換気装置。
【請求項２】
人検出手段として、赤外センサを用いることを特徴とする請求項１に記載の換気装置。
【請求項３】
人検出手段として、超音波センサを用いることを特徴とする請求項１に記載の換気装置。
【請求項４】
人検出手段として、空質センサを用いることを特徴とする請求項１に記載の換気装置。
【請求項５】
扉開閉検出手段により扉が開けられた後、閉められたと判断されたとき、制御手段が人検出手段を動作させることを特徴とする請求項１に記載の換気装置。
【請求項６】
扉開閉検出手段により扉が閉められたと判断され、その際、人検出手段により部屋内に人が存在しないと判断されたとき、制御手段が前記人検出手段を停止させることを特徴とする請求項１乃至５のいずれかに記載の換気装置。
【請求項７】
扉開閉検出手段により扉が閉められたと判断され、その際、人検出手段により部屋内に人が存在しないと判断され、さらにファンが運転状態にある場合は、制御手段が前記ファンを一定時間運転させた後、運転を自動停止させることを特徴とする請求項１に記載の換気装置。
【請求項８】
人検出手段が部屋内の人の存在を検出している時間により、制御手段がファンの自動停止までの時間を変更することを特徴とする請求項７に記載の換気装置。
【請求項９】
人検出手段として空質センサを用いて、前記空質センサの検出結果により、制御手段がファンの自動停止までの時間を変更することを特徴とする請求項７に記載の換気装置。
【請求項１０】
人検出手段が部屋内の人の存在を検出している時間により、制御手段がファンの回転数を変更することを特徴とする請求項１に記載の換気装置。
【請求項１１】
人検出手段として空質センサを用いて、前記空質センサの検出結果により、制御手段がファンの回転数を変更することを特徴とする請求項１に記載の換気装置。
【請求項１２】
出入りのための扉を備えた部屋において、扉の開閉を検出する扉開閉検出手段と、部屋内の照度を検出する照度検出手段と、前記照度検出手段の検出結果により部屋内を照らす照明手段と、前記扉開閉検出手段、前記照度検出手段および前記照明手段を制御する制御手段とを備え、前記扉開閉検出手段により扉が開けられたと判断されたとき、前記制御手段が前記照度検出手段を動作させることを特徴とする換気装置。
【請求項１３】
出入りのための扉を備えた部屋において、扉の開閉を検出する扉開閉検出手段と、部屋内の人の存在を検出する人検出手段と、部屋内を照らす照明手段と、前記扉開閉検出手段、前記人検出手段および前記照明手段を制御する制御手段とを備え、前記扉開閉検出手段により扉が閉められたと判断され、その際、前記人検出手段により部屋内に人が存在しないと判断されたとき、前記制御手段が前記人検出手段および前記照明手段を停止させることを特徴とする換気装置。
【請求項１４】
扉開閉検出手段により一定時間扉が開けられた状態が続いていると判断されたとき、制御手段が人検出手段、ファン、照度検出手段もしくは照明手段を停止させることを特徴とする請求項１、１２または１３に記載の換気装置。
【請求項１５】
制御手段に備えた操作手段により、ファンもしくは照明手段を手動で操作することを特徴とする請求項１、１２または１３に記載の換気装置。
【発明の詳細な説明】
【技術分野】
【０００１】
本発明は、待機状態の消費電力を抑制した換気装置に関する。
【背景技術】
【０００２】
今日、環境に対する配慮やエンドユーザーからの要望として、電化製品の消費電力の抑制が重量な要素となっている。換気装置における消費電力の抑制方法として、各種センサを用いて換気が必要なときのみ自動運転させる方法がある。一例として、トイレなどで人が在室するときのみ自動で局所換気を行うために、トイレへ出入りするときの扉の開閉回数から人の在室を検出する方法が用いられている。この方法は、人が扉を開けて部屋に入り、閉めることで人が部屋に在室していると判断して換気装置を運転し、さらに扉を開けて閉めると退室した判断して運転を停止させている（例えば、特許文献１参照）。
【特許文献１】特開平１１−２２５９１４号公報
【発明の開示】
【発明が解決しようとする課題】
【０００３】
このような従来の換気装置では、扉の開閉のみで人の在室を検出しているため、例えば一人目の入室者が退室する際に扉を閉めず、連続して二人目が入室して扉を閉めた際、人が部屋に不在であると誤認識する可能性がある。また、人の在室の検出手段として扉の開閉を用いず赤外センサなどを用いた場合、誤認識は軽減されるが、センサ回路への常時通電が必要となるため待機状態で余分に電力を消費し、またセンサに常時負荷が印加されているためセンサの寿命が短くなるという課題があった。
【０００４】
本発明は、上記課題を解決するもので、人の在室を効率良く検出して自動運転し、待機状態の消費電力が少なく、またセンサの劣化を抑制できる換気装置を提供することを目的とする。
【課題を解決するための手段】
【０００５】
上記課題を解決するために本発明の換気装置は、出入りのための扉を備えた部屋において、扉の開閉を検出する扉開閉検出手段と、部屋内の人の存在を検出する人検出手段と、前記人検出手段の検出結果により部屋の汚れた空気を排気するファンと、前記扉開閉検出手段、前記人検出手段および前記ファンを制御する制御手段とを備え、前記扉開閉検出手段により扉が開けられたと判断されたとき、前記制御手段が前記人検出手段を動作させることを特徴とする。
【０００６】
本発明の換気装置の他の手段は、人検出手段として、赤外センサを用いることを特徴とする。
【０００７】
本発明の換気装置の他の手段は、人検出手段として、超音波センサを用いることを特徴とする。
【０００８】
本発明の換気装置の他の手段は、人検出手段として、空質センサを用いることを特徴とする。
【０００９】
本発明の換気装置の他の手段は、扉開閉検出手段により扉が開けられた後、閉められたと判断されたとき、制御手段が人検出手段を動作させることを特徴とする。
【００１０】
本発明の換気装置の他の手段は、扉開閉検出手段により扉が閉められたと判断され、その際、人検出手段により部屋内に人が存在しないと判断されたとき、制御手段が前記人検出手段を停止させることを特徴とする。
【００１１】
本発明の換気装置の他の手段は、扉開閉検出手段により扉が閉められたと判断され、その際、人検出手段により部屋内に人が存在しないと判断され、さらにファンが運転状態にある場合は、制御手段が前記ファンを一定時間運転させた後、運転を自動停止させることを特徴とする。
【００１２】
本発明の換気装置の他の手段は、人検出手段が部屋内の人の存在を検出している時間により、制御手段がファンの自動停止までの時間を変更することを特徴とする。
【００１３】
本発明の換気装置の他の手段は、人検出手段として空質センサを用いて、前記空質センサの検出結果により、制御手段がファンの自動停止までの時間を変更することを特徴とする。
【００１４】
本発明の換気装置の他の手段は、人検出手段が部屋内の人の存在を検出している時間により、制御手段がファンの回転数を変更することを特徴とする。
【００１５】
本発明の換気装置の他の手段は、人検出手段として空質センサを用いて、前記空質センサの検出結果により、制御手段がファンの回転数を変更することを特徴とする。
【００１６】
本発明の換気装置の他の手段は、出入りのための扉を備えた部屋において、扉の開閉を検出する扉開閉検出手段と、部屋内の照度を検出する照度検出手段と、前記照度検出手段の検出結果により部屋内を照らす照明手段と、前記扉開閉検出手段、前記照度検出手段および前記照明手段を制御する制御手段とを備え、前記扉開閉検出手段により扉が開けられたと判断されたとき、前記制御手段が前記照度検出手段を動作させることを特徴とする。
【００１７】
本発明の換気装置の他の手段は、出入りのための扉を備えた部屋において、扉の開閉を検出する扉開閉検出手段と、部屋内の人の存在を検出する人検出手段と、部屋内を照らす照明手段と、前記扉開閉検出手段、前記人検出手段および前記照明手段を制御する制御手段とを備え、前記扉開閉検出手段により扉が閉められたと判断され、その際、前記人検出手段により部屋内に人が存在しないと判断されたとき、前記制御手段が前記人検出手段および前記照明手段を停止させることを特徴とする。
【００１８】
本発明の換気装置の他の手段は、扉開閉検出手段により一定時間扉が開けられた状態が続いていると判断されたとき、制御手段が人検出手段、ファン、照度検出手段もしくは照明手段を停止させることを特徴とする。
【００１９】
本発明の換気装置の他の手段は、制御手段に備えた操作手段により、ファンもしくは照明手段を手動で操作することを特徴とする。
【発明の効果】
【００２０】
本発明によれば、人の在室を効率良く検出して自動運転し、待機状態の消費電力が少なく、またセンサの劣化を抑制することができるという効果のある換気装置を提供できる。
【発明を実施するための最良の形態】
【００２１】
請求項１記載の換気装置の発明は、出入りのための扉を備えた部屋において、扉の開閉を検出する扉開閉検出手段と、部屋内の人の存在を検出する人検出手段と、前記人検出手段の検出結果により部屋の汚れた空気を排気するファンと、前記扉開閉検出手段、前記人検出手段および前記ファンを制御する制御手段とを備え、前記扉開閉検出手段により扉が開けられたと判断されたとき、前記制御手段が前記人検出手段を動作させることを特徴とするものであり、人の在室を効率良く検出して自動運転し、待機状態における換気装置の消費電力が少なく、また人検出手段に常時通電されないため、人検出手段の劣化を抑制することができる。
【００２２】
請求項２記載の換気装置の発明は、請求項１に記載の換気装置において、人検出手段として、赤外センサを用いることを特徴とするものであり、人の動作により換気装置を自動運転することができる。
【００２３】
請求項３記載の換気装置の発明は、請求項１に記載の換気装置において、人検出手段として、超音波センサを用いることを特徴とするものであり、人の動作および人が出入りするときの扉の動作により換気装置を自動運転することができる。
【００２４】
請求項４記載の換気装置の発明は、請求項１に記載の換気装置において、人検出手段として、空質センサを用いることを特徴とするものであり、人から生じる二酸化炭素または臭いにより換気装置を自動運転することができる。
【００２５】
請求項５記載の換気装置の発明は、請求項１に記載の換気装置において、扉開閉検出手段により扉が開けられた後、閉められたと判断されたとき、制御手段が人検出手段を動作させることを特徴とするものであり、自然換気時に扉を開放しているなど、換気装置の運転の必要が無いときに自動運転をせず、無駄な消費電力を削減できる。
【００２６】
請求項６記載の換気装置の発明は、請求項１乃至５のいずれかに記載の換気装置において、扉開閉検出手段により扉が閉められたと判断され、その際、人検出手段により部屋内に人が存在しないと判断されたとき、制御手段が前記人検出手段を停止させることを特徴とするものであり、人が在室しないときには換気装置の消費電力を少なくすることができる。
【００２７】
請求項７記載の換気装置の発明は、請求項１に記載の換気装置において、扉開閉検出手段により扉が閉められたと判断され、その際、人検出手段により部屋内に人が存在しないと判断され、さらにファンが運転状態にある場合は、制御手段が前記ファンを一定時間運転させた後、運転を自動停止させることを特徴とするものであり、人が退室した後でも汚れた空気が十分排気されるまで自動運転し、空気が清浄になると自動停止することで無駄な消費電力を削減できる。
【００２８】
請求項８記載の換気装置の発明は、請求項７に記載の換気装置において、人検出手段が部屋内の人の存在を検出している時間により、制御手段がファンの自動停止までの時間を変更することを特徴とするものであり、人の在室時間が短く汚れた空気の発生量が少ないときは短時間で自動停止し、在室時間が長く汚れた空気の発生量が多いときは長時間自動運転した後停止することで、空気を適切に清浄することができ、また無駄な消費電力を削減できる。
【００２９】
請求項９記載の換気装置の発明は、請求項７に記載の換気装置において、人検出手段として空質センサを用いて、前記空質センサの検出結果により、制御手段がファンの自動停止までの時間を変更することを特徴とするものであり、汚れた空気の量に適した時間だけ自動運転することで、空気を適切に清浄することができ、また無駄な消費電力を削減できる。
【００３０】
請求項１０記載の換気装置の発明は、請求項１に記載の換気装置において、人検出手段が部屋内の人の存在を検出している時間により、制御手段がファンの回転数を変更することを特徴とするものであり、人の在室時間が短く汚れた空気の発生量が少ないときは小さい回転数で自動運転することで消費電力やファンの回転による騒音を少なくし、在室時間が長く汚れた空気の発生量が多いときは回転数を大きくすることで、早期に空気の清浄を行う。
【００３１】
請求項１１記載の換気装置の発明は、請求項１に記載の換気装置において、人検出手段として空質センサを用いて、前記空質センサの検出結果により、制御手段がファンの回転数を変更することを特徴とするものであり、汚れた空気の発生量が少ないときは小さい回転数で自動運転することで消費電力やファンの回転による騒音を少なくし、汚れた空気の発生量が多いときは回転数を大きくすることで、早期に空気の清浄を行う。
【００３２】
請求項１２記載の換気装置の発明は、出入りのための扉を備えた部屋において、扉の開閉を検出する扉開閉検出手段と、部屋内の照度を検出する照度検出手段と、前記照度検出手段の検出結果により部屋内を照らす照明手段と、前記扉開閉検出手段、前記照度検出手段および前記照明手段を制御する制御手段とを備え、前記扉開閉検出手段により扉が開けられたと判断されたとき、前記制御手段が前記照度検出手段を動作させることを特徴とするものであり、人の在室を効率良く検出して自動運転し、待機状態における換気装置の消費電力が少なく、また照度検出手段に常時通電されないため、照度検出手段の劣化を抑制することができる。
【００３３】
請求項１３記載の換気装置の発明は、出入りのための扉を備えた部屋において、扉の開閉を検出する扉開閉検出手段と、部屋内の人の存在を検出する人検出手段と、部屋内を照らす照明手段と、前記扉開閉検出手段、前記人検出手段および前記照明手段を制御する制御手段とを備え、前記扉開閉検出手段により扉が閉められたと判断され、その際、前記人検出手段により部屋内に人が存在しないと判断されたとき、前記制御手段が前記人検出手段および前記照明手段を停止させることを特徴とするものであり、人が在室しない場合は人検出手段および照明手段を停止させ、換気装置の無駄な消費電力を削減できる。
【００３４】
請求項１４記載の換気装置の発明は、請求項１、１２または１３に記載の換気装置において、扉開閉検出手段により一定時間扉が開けられた状態が続いていると判断されたとき、制御手段が人検出手段、ファン、照度検出手段もしくは照明手段を停止させることを特徴とするものであり、扉を閉め忘れたときの無駄な消費電力を削減できる。
【００３５】
請求項１５記載の換気装置の発明は、請求項１、１２または１３に記載の換気装置において、制御手段に備えた操作手段により、ファンもしくは照明手段を手動で操作することを特徴とするものであり、強制的にファンもしくは照明手段を動作できる。
【００３６】
以下、本発明の実施形態について図を参照しながら説明する。
【００３７】
（実施の形態１）
図１〜３に示すように、本発明の換気装置は、一般家庭用トイレ１の天井付近に汚れた空気を排気するファン２と、照明カバー３より光を透過させてトイレ１内を照らす照明手段４とを備えた本体５を配置し、本体５の表面には人検出手段６、照度検出手段７および操作手段８が備えられ、ファン２、照明手段４、人検出手段６、照度検出手段７、および操作手段８はマイクロコンピュータ９（以下、マイコン９）を搭載した制御手段１０に接続されている。また制御手段１０には、トイレ１の出入り口となる扉１１の開口部に備えられた扉開閉検出手段１２が接続されている。
【００３８】
上記構成において、図４のフローチャートを用いて換気装置が自動運転する動作を説明する。ＳＴＥＰ１では、トイレ１内に人は在室しておらず、またトイレ１の扉１１は閉まっており、ファン２、照明手段４、人検出手段６および照度検出手段７には通電されていない。ＳＴＥＰ２およびＳＴＥＰ３では、扉開閉検出手段１２の検出結果よりマイコン９が扉１１が開けられたと判断した場合、照度検出手段７に通電を開始する。ここで、扉開閉検出手段１２としては、リミットスイッチなどが考えられ、リミットスイッチがＯＮからＯＦＦに変化したときにマイコン９は扉１１が開けられたと判断し、ＯＦＦからＯＮに変化したときにマイコン９は扉１１が閉じられたと判断する。ＳＴＥＰ４およびＳＴＥＰ５では、照度検出手段７の検出結果よりマイコン９がトイレ１内が暗いと判断した場合、照明手段４に通電を開始し、トイレ１内が照明を必要としない程度に明るい場合は、照明手段４には通電しない。ここで、照度検出手段７として照度センサ、照明手段４として白熱球、ハロゲンランプ、ＬＥＤなどが考えられ、照度検出手段７の検出したトイレ１内の照度があらかじめマイコン９に記憶されている判定照度より低い場合は、マイコン９がトイレ１内が暗いと判断して照明手段４に通電を開始する。
【００３９】
ＳＴＥＰ６〜ＳＴＥＰ８では、人検出手段６への通電が開始された後、人検出手段６の検出結果よりマイコン９がトイレ１内に人が在室していると判断した場合は、ファン２への通電を開始する。ここで、人検出手段６としては、赤外センサ、超音波センサもしくは空質センサなどが考えられ、以下それぞれの場合について説明する。赤外センサは、人の発する熱線を検出することが可能であり、人の出入りなどの動作により熱線の変化がある場合はマイコン９が人の在室を判断し、それ以外の場合は不在と判断する。超音波センサは、超音波の受発信が可能であり、発信した超音波が物体に反射して戻ってきて受信されるまでの時間よりマイコン９が人の在室を判断する。つまり、入室した人または扉１１を開けることによる扉１１の移動により、超音波が反射され戻ってくるまでの時間が、あらかじめマイコン９に記憶されている判定時間と異なる場合は在室と判断し、それ以外は不在と判断する。判定時間は、換気装置の設置時に、トイレ１内に人が居らず扉１１が閉められた状態で、発信した超音波が物体に反射して戻ってきて受信されるまでの時間をマイコン９に記憶させると良い。空質センサとしては、ＣＯ２センサもしくは臭いセンサが考えられ、人が在室することによるＣＯ２の増加や、糞尿などから発する臭いを検出した場合、マイコン９が人の在室を判断し、それ以外は不在と判断する。
【００４０】
以上のように動作することにより、待機状態において照度検出手段７および人検出手段６への通電が不要であり、トイレ１内に人が入室したときに適切に照明手段４およびファン２へ通電することが可能であるため消費電力が少なく、また照度検出手段７、人検出手段６、照明手段４およびファン２に常時通電されないためこれらの劣化を抑制することができる。
【００４１】
図５のフローチャートを用いて換気装置が自動運転する他の動作を説明する。ＳＴＥＰ１〜ＳＴＥＰ１２は、ＳＴＥＰ９でマイコン９が、扉１１が開けられた時点から扉１１が開いた状態を継続している扉開時間Ｔｏの積算を開始することを除けば、図４のフローチャートと同様である。ＳＴＥＰ１３〜１８では、扉１１が閉じられた場合、扉開時間Ｔｏの積算を停止して積算時間をリセットし、次に人検出手段６への通電を開始し、人検出手段６の検出結果よりマイコン９がトイレ１内に人が在室している判断した場合は、ファン２への通電を開始する。一方、ＳＴＥＰ１７で人が在室してないと判断した場合は、マイコン９がトイレ１は使用されていないと判断してＳＴＥＰ１へ戻る。これにより、扉１１を開けたがトイレ１の使用を取りやめて扉１１を閉めた場合に待機状態になり、無駄な消費電力を削減できる。また、ＳＴＥＰ１３で扉１１が閉じられない場合はＳＴＥＰ１４へ進み、扉開時間Ｔｏがあらかじめマイコン９に記憶されている判定時間より長い場合は、ＳＴＥＰ１へ戻る。これにより、自然換気時やトイレ１の使用時に扉１１を閉めず使用後もそのまま扉１１を閉め忘れた場合に、無駄な消費電力を削減できる。ここで、扉開時間Ｔｏの判定時間としては、無駄な消費電力の削減のために短めの５分程度が良い。
【００４２】
次に図６のフローチャートを用いて換気装置が自動停止する動作を説明する。ＳＴＥＰ１９は、図４のＳＴＥＰ７もしくは図５のＳＴＥＰ１７において人が在室していると判断された状態から始まり、ＳＴＥＰ２０およびＳＴＥＰ２１でマイコン９が、人の在室を検出している在室時間Ｔｅを積算し始め、ファン２への通電を開始する。ＳＴＥＰ２２〜２４では、扉開閉検出手段１２および人検出手段６により、トイレ１の使用を済ませた人が扉１１を開けた後閉めて部屋を退出したとマイコン９が判断した場合、照明手段４、照度検出手段７および人検出手段６への通電を停止し、また在室時間Ｔｅの積算を停止することで、無駄な消費電力を削減できる。ＳＴＥＰ２５〜２９では、人の在室時間Ｔｅがあらかじめマイコン９に記憶されている判定時間より長い場合は、残遅時間Ｔｌだけ残遅運転した後、在室時間Ｔｅをリセットおよびファン２への通電を停止し、判定時間より短い場合は、残遅時間Ｔｌより短い残遅時間Ｔｓだけ残遅運転した後、在室時間Ｔｅをリセットおよびファン２への通電を停止する。ここで、残遅時間とは人が退室してからファン２への通電を停止するまでの時間であり、また残遅時間中を残遅運転と定義する。また、判定時間としては、人がトイレ１で小を済ませるのに十分な５分程度、残遅時間Ｔｌとしては、トイレ１で大を済ませ汚れた空気が十分に排気されて清浄となるまでの１時間程度、残遅時間Ｔｓとしては、トイレ１で小を済ませ汚れた空気が十分に排気されて清浄となるまでの１５分程度が良い。以上により、トイレ１を使用している時間が長いときは空気の汚れがひどいため長時間排気した後ファン２を自動停止し、使用時間が短いときは短時間排気した後ファン２を自動停止することで、空気を適切に清浄することができ、また無駄な消費電力を削減できる。
【００４３】
図７のフローチャートを用いて換気装置が自動停止する他の動作を説明する。ＳＴＥＰ１９〜ＳＴＥＰ２４までは、在室時間Ｔｅを積算しないことを除けば図６のフローチャートと同様である。ＳＴＥＰ３０で、人検出手段６として空質センサを用いて、空質センサの検出した空気レベルＤがあらかじめマイコン９に記憶されている判定基準より大きい場合は、残遅時間Ｔｌだけ残遅運転した後、ファン２への通電を停止し、判定基準より小さい場合は、残遅時間Ｔｌより短い残遅時間Ｔｓだけ残遅運転した後、ファン２への通電を停止する。ここで、空質レベルＤが高いこと空気が汚れていることを意味する。図８は空質センサの回路構成、図９は空質レベルＤと判定基準の関係を示しており、以下で空質レベルＤの検出方法を説明する。図８において、マイコン９の空質レベルＤ検出ポート１３には、空質センサの抵抗値Ｒｓ１４と分圧抵抗Ｒｌ１５で分圧された電圧が入力され、空気が汚れて空質センサの抵抗値Ｒｓ１４が小さくなりマイコン９への入力電圧が上昇すると、空質レベルＤが高く空気が汚れているとマイコン９が判断する。図９において、トイレ１内の汚れた空気量の量に比例して空質レベルＤの値は高くなり、判定基準を超えると汚れ酷いとマイコン９が判断する。ここで、判定基準は３．５Ｖ、残遅時間Ｔｌは１時間程度、残遅時間Ｔｓは１５分程度が良く、これにより、トイレ１内の空気の汚れ度合いが大きいときは長時間排気した後ファン２への通電を停止し、汚れ度合いが小さいときは短時間排気した後ファン２への通電を停止することで、空気を適切に清浄することができ、無駄な消費電力を削減できる。
【００４４】
図１０のフローチャートを用いて換気装置が自動で回転数を変更する動作を説明する。ＳＴＥＰ１９〜２１は、図６のフローチャートと同様であり、またＳＴＥＰ２１でのファン２の回転数を弱運転とする。ＳＴＥＰ３４〜３７では、在室時間Ｔｅがあらかじめマイコン９へ記憶されている判定時間より長い場合は、空気の汚れ具合が大きいとマイコン９が判断して、在室時間Ｔｅの積算を停止して積算時間をリセットし、次にファン２へ通電される電流値を上昇させ、回転数の大きい強運転となり、早期に汚れた空気を排気することができる。また、ＳＴＥＰ３４もしくはＳＴＥＰ３８でトイレ１内に人が存在しないとマイコン９が判断した場合は、ＳＴＥＰ３９およびＳＴＥＰ４０で一定時間残遅運転をした後、ファン２への通電を自動停止する。ここで、判定時間としては、人がトイレ１で小を済ませるのに十分な５分程度、残遅運転する一定時間は１５分程度が良い。これにより、空気の汚れ具合に適した運転モードで排気することができる。
【００４５】
図１１のフローチャートを用いて換気装置が自動で回転数を変更する他の動作を説明する。ＳＴＥＰ１９〜３４は、在室時間Ｔｅを積算しないことを除けば図１０のフローチャートと同様である。ＳＴＥＰ４１およびＳＴＥＰ４２では、人検出手段６として空質センサを用いて、空質センサの検出した空気レベルＤがあらかじめマイコン９に記憶されている判定基準より大きい場合は、ファンへ通電される電流値を上昇させ、回転数の大きい強運転となり、早期に汚れた空気を排気する。ここで、空質レベルＤの検出方法および判定基準は図７のフローチャートと同様である。また、ＳＴＥＰ３４もしくはＳＴＥＰ４３でトイレ１内に人が存在しないとマイコン９が判断した場合は、ＳＴＥＰ４４およびＳＴＥＰ４５で例えば１５分程度残遅運転をした後、ファン２への通電を停止する。これにより、空気の汚れ具合に適した運転モードで排気することができる。
【００４６】
以上、換気装置が自動で運転もしくは停止する動作を説明してきたが、人が操作手段８のファン入切ボタンもしくは照明入切ボタン（図は省略する）により、強制的にファン２もしくは照明手段４を運転もしくは停止させることを可能にすると良い。
【産業上の利用可能性】
【００４７】
本発明にかかる換気装置は、人の在室を効率良く検出して自動運転し、待機状態の消費電力が少なく、またセンサの劣化を抑制することができるものであり、一般家庭のトイレなど扉により仕切られた部屋に用いられる換気装置に有用である。
【図面の簡単な説明】
【００４８】
【図１】本発明の実施の形態１の換気装置の構成を示す斜視図
【図２】同換気装置の制御系を示すブロック図
【図３】同換気装置が使用されるトイレの平面図
【図４】同換気装置が自動運転する動作を示すフローチャート
【図５】同換気装置が自動運転する他の動作を示すフローチャート
【図６】同換気装置が自動停止する動作を示すフローチャート
【図７】同換気装置が自動停止する他の動作を示すフローチャート
【図８】空質センサの回路構成を示す図
【図９】空質レベルＤと判定基準の関係を示す図
【図１０】同換気装置が自動で回転数を変更する動作を示すフローチャート
【図１１】同換気装置が自動で回転数を変更する他の動作を示すフローチャート
【符号の説明】
【００４９】
２    ファン
４    照明手段
６    人検出手段
７    照度検出手段
８    操作手段
１０  制御手段
１１  扉
１２  扉開閉検出手段
１３  空質レベルＤ検出ポート
【図１】
2007107778.tif 000003
【図２】
2007107778.tif 000004
【図３】
2007107778.tif 000005
【図４】
2007107778.tif 000006
【図５】
2007107778.tif 000007
【図６】
2007107778.tif 000008
【図７】
2007107778.tif 000009
【図８】
2007107778.tif 000010
【図９】
2007107778.tif 000011
【図１０】
2007107778.tif 000012
【図１１】
2007107778.tif 000013